(57)【要約】  【課題】  記録媒体に記録された多数の楽曲の中からユーザの嗜好に合致した楽曲を読み出して再生する。【解決手段】  車載用コンピュータは光ディスクｄ、記録媒体ｍ、通信カードＴ、パーソナルコンピュータＰ等から楽曲６０を取得し、ハードディスク装置１３に記録すると共に、楽曲６０に応じた情報を有する楽曲プロファイル４０を記録する。また、車載用コンピュータは複数の項目に対してユーザの情報を受け付けて個人プロファイル３０を作成する。車載用コンピュータは個人プロファイル３０及び楽曲プロファイル４０に基づきプレイリスト５０を作成し、プレイリスト５０に基づきハードディスク装置１３から楽曲６０を読み出して再生する。【選択図】        図２
2005285285.tif 000002
【特許請求の範囲】
【請求項１】
複数のコンテンツが記録してある記録媒体から所要のコンテンツを読み出す読出手段を備えるコンテンツ読出装置において、
記録媒体に記録されたコンテンツに応じたコンテンツ情報を受け付ける情報受付手段と、
ユーザ情報を受け付けるユーザ情報受付手段と、
該ユーザ情報受付手段が受け付けたユーザ情報及び前記情報受付手段が受け付けたコンテンツ情報に基づき記録媒体から読み出す複数のコンテンツ及び該複数のコンテンツの読出順序を特定した選択リストを作成するリスト作成手段と
を備え、
前記読出手段は、前記選択リストに基づき記録媒体からコンテンツを順次読み出すようにしてあることを特徴とするコンテンツ読出装置。
【請求項２】
前記コンテンツ情報は、複数の項目毎に対応する項目情報が含まれており、
前記ユーザ情報は、ユーザに係る複数の項目毎に対応するユーザ項目情報が含まれており、
該ユーザ項目情報に関連した前記項目情報を含むコンテンツ情報を検索する検索手段を更に備え、
前記リスト作成手段は、前記検索手段が検索したコンテンツ情報に応じたコンテンツを選択した選択リストを作成するようにしてある請求項１に記載のコンテンツ読出装置。
【請求項３】
前記ユーザ情報受付手段は、前記ユーザ項目情報に対する重み付け数値を受け付けるようにしており、
前記検索手段がコンテンツ情報を検索した場合、検索したコンテンツ情報が含む項目情報に関連した前記ユーザ項目情報の重み付け数値に基づき検索したコンテンツ情報に係る点数を演算する演算手段を更に備え、
前記リスト作成手段は、前記演算手段が演算した点数に基づき複数のコンテンツの読出順序を特定するようにしてある請求項２に記載のコンテンツ読出装置。
【請求項４】
前記ユーザ情報受付手段は、前記ユーザ項目情報に対する重み付け数値を複数の場面毎に受け付けるようにしており、
複数の場面の中から一つの場面の選択を受け付ける場面選択受付手段を備え、
前記演算手段は、前記場面選択受付手段が選択を受け付けた場面に対応する重み付け数値に基づき演算するようにしてある請求項３に記載のコンテンツ読出装置。
【請求項５】
表示部と、
該表示部にユーザ情報をアンケート形式で問うアンケート画面を表示する処理を行う表示処理手段と、
該表示処理手段が表示したアンケート画面の内容に応じた回答の入力を受け付ける入力受付手段と
を更に備え、
前記ユーザ情報受付手段は、前記入力受付手段が受け付けた回答をユーザ情報として受け付けるようにしてある請求項１乃至請求項４のいずれか一つに記載のコンテンツ読出装置。
【請求項６】
前記ユーザ情報受付手段は、複数のユーザ毎にユーザ情報を受け付けるようにしており、
複数のユーザの中から一つユーザの選択を受け付けるユーザ選択受付手段を備え、
前記リスト作成手段は、前記ユーザ選択受付手段が選択を受け付けたユーザに応じたユーザ情報に基づき選択リストを作成すべくなしてある請求項１乃至請求項５のいずれか一つに記載のコンテンツ読出装置。
【請求項７】
前記コンテンツは楽曲であり、
前記請求項１乃至請求項６のいずれか一つに記載のコンテンツ読出装置と、
該コンテンツ読出装置が読み出したコンテンツに基づき楽曲音を再生する再生手段と、
該再生手段が再生した楽曲音を外部のスピーカが接続されるスピーカ接続部から出力する出力手段と
を備えることを特徴とする楽曲再生装置。
【発明の詳細な説明】
【技術分野】
【０００１】
本発明は、本発明は多数のコンテンツ（楽曲）を記録した記録媒体からユーザの嗜好に応じたコンテンツ（楽曲）を自動的に順次読み出して再生できるようにしたコンテンツ読出装置及び楽曲再生装置に関する。
【背景技術】
【０００２】
従来、ハードディスク装置及び半導体メモリ等の記録媒体に多数の楽曲（楽曲データ）を記録すると共に、該記録媒体からユーザの操作に応じて適宜楽曲を読み出して再生可能とした音響装置がある。例えば、ハードディスク装置に圧縮処理を施した楽曲を記録する音響装置が有するハードディスク装置の記録容量が６Ｇ（ギガ）バイトであり、圧縮により１曲当たりの楽曲のデータ容量が約３Ｍ（メガ）バイトであれば、音響装置は約１８００曲程度の楽曲を記録できる。
【０００３】
このように非常に多くの楽曲を音響装置が記録すると、ユーザが所望する楽曲を多くの中から探し出すことが困難になるため、音響装置は所望の楽曲を検索できる検索機能を備えていることが一般的である。このような検索機能を備えた音響装置は、ハードディスク装置に記録する楽曲毎に「曲名」「アルバム名」「ジャンル」「アーティスト名」等の各種情報を付帯させ、これら各種情報をユーザから入力される検索キーで検索することにより、所望の楽曲を特定している。なお、楽曲に関連した各種情報は、オリジナルのＣＤ、ＤＶＤ等に記録されている場合は、ハードディスク装置に楽曲を記録する際に一緒に各種情報も記録し、オリジナルのＣＤ、ＤＶＤ等に記録されていない場合又は記録されていても情報が少ない場合等には、楽曲情報を記録した商用データベースから各種情報を取得する。
【０００４】
上述した検索機能を備える音響装置には、据え置き型以外に車載用及び携帯用のものがある。また、検索対象となるデータは楽曲以外にも、落語、俳句及び映像等の各種コンテンツも対象になる。なお、音響装置の検索機能に関しては下記の特許文献１〜３でも開示されている。
【特許文献１】特開２００４−５８４９号公報
【特許文献２】特開２００３−９１５４０号公報
【特許文献３】特開２００１−２９１３６５号公報
【発明の開示】
【発明が解決しようとする課題】
【０００５】
従来の検索機能を備えた音響装置では「アーティスト名」「ジャンル」等の項目に対応する検索キーを入力して検索を行うと、いつも同様な傾向の楽曲のみが選曲されてしまい、ユーザを飽きやすくさせると云う問題があった。また、音響装置に記録される楽曲が増すほどに検索した結果に該当する楽曲も増加するため、ユーザが本当に希望する楽曲のみを抽出するには、適切な検索キーの入力及び複数の検索キーを組み合わせた操作入力等が要求されユーザの操作負担が増大すると云う問題がある。
【０００６】
さらに、従来の検索機能を備えた音響装置では、ユーザが再生を希望する楽曲に関連した情報を覚えておかないと検索できなかったと云う問題がある。例えば、ユーザがメロディー又は一部の歌詞だけを覚えており、曲名及びアーティスト名等を覚えていないような楽曲の再生を希望する場合、所要の検索キーを入力できないため、ユーザの望む楽曲を再生できない。さらにまた、検索対象となる楽曲に関連した情報は、項目が一定の内容に限られるため、ユーザが楽曲に対して思い浮かべる自由な言語を用いて検索できなかったと云う問題がある。
【０００７】
本発明は、斯かる事情に鑑みてなされたものであり、ユーザの各種嗜好に係るユーザ情報を予め装置に入力しておき、楽曲に関連する情報と合わせて選択リストを作成することにより、ユーザの嗜好に応じたコンテンツを自動的に読み出して再生できるコンテンツ読出装置及び楽曲再生装置を提供することを目的とする。
また、本発明は、ユーザ情報を複数の項目に対して入力すると共に入力した情報に対して重み付け数値を設定することで、ユーザの嗜好に一段と合致するコンテンツを読み出してユーザの好みの順序に再生できるようにしたコンテンツ読出装置及び楽曲再生装置を提供することを目的とする。
【課題を解決するための手段】
【０００８】
上記課題を解決するために第１発明に係るコンテンツ読出装置は、複数のコンテンツが記録してある記録媒体から所要のコンテンツを読み出す読出手段を備えるコンテンツ読出装置において、記録媒体に記録されたコンテンツに応じたコンテンツ情報を受け付ける情報受付手段と、ユーザ情報を受け付けるユーザ情報受付手段と、該ユーザ情報受付手段が受け付けたユーザ情報及び前記情報受付手段が受け付けたコンテンツ情報に基づき記録媒体から読み出す複数のコンテンツ及び該複数のコンテンツの読出順序を特定した選択リストを作成するリスト作成手段とを備え、前記読出手段は、前記選択リストに基づき記録媒体からコンテンツを順次読み出すようにしてあることを特徴とする。
【０００９】
第１発明にあっては、コンテンツ情報及びユーザ情報を受け付けて、これら両方の情報に基づいて選択リストを作成し、この選択リストに基づきコンテンツの読出を行うので、ユーザの嗜好及びコンテンツの内容等を考慮して読出対象のコンテンツを選択できるようになり、従来の検索方式に比べて柔軟な選択を実現できる。
【００１０】
第２発明に係るコンテンツ読出装置は、前記コンテンツ情報は、複数の項目毎に対応する項目情報が含まれており、前記ユーザ情報は、ユーザに係る複数の項目毎に対応するユーザ項目情報が含まれており、該ユーザ項目情報に関連した前記項目情報を含むコンテンツ情報を検索する検索手段を更に備え、前記リスト作成手段は、前記検索手段が検索したコンテンツ情報に応じたコンテンツを選択した選択リストを作成するようにしてあることを特徴とする。
【００１１】
第２発明にあっては、ユーザ情報が含むユーザ項目情報に関連した項目情報を含むコンテンツ情報の検索を行い、この検索に合致したコンテンツ情報に応じたコンテンツを選択した選択リストを作成するので、ユーザ情報に対応するコンテンツを確実に選択して読み出せるようになる。なお、コンテンツ情報は、コンテンツが楽曲である場合、従来と同様にオリジナルの記録媒体又は商用データベースから取得でき、また、このように取得する情報以外に独自の情報を含ませることも可能である。また、ユーザ情報には、コンテンツに関連したユーザの嗜好に係る情報とコンテンツに関連しないユーザの嗜好に係る情報のいずれか、又は両方の情報を含ませることが可能である。
【００１２】
第３発明に係るコンテンツ読出装置は、前記ユーザ情報受付手段は、前記ユーザ項目情報に対する重み付け数値を受け付けるようにしており、前記検索手段がコンテンツ情報を検索した場合、検索したコンテンツ情報が含む項目情報に関連した前記ユーザ項目情報の重み付け数値に基づき検索したコンテンツ情報に係る点数を演算する演算手段を更に備え、前記リスト作成手段は、前記演算手段が演算した点数に基づき複数のコンテンツの読出順序を特定するようにしてあることを特徴とする。
【００１３】
第３発明にあっては、ユーザ項目情報に対する重み付け数値に基づき検索したコンテンツ情報に係る点数を演算するため、検索したコンテンツの読出順序を点数に基づき特定できるようになり、ユーザの嗜好に応じた順序でコンテンツを読み出せる。
【００１４】
第４発明に係るコンテンツ読出装置は、前記ユーザ情報受付手段は、前記ユーザ項目情報に対する重み付け数値を複数の場面毎に受け付けるようにしており、複数の場面の中から一つの場面の選択を受け付ける場面選択受付手段を備え、前記演算手段は、前記場面選択受付手段が選択を受け付けた場面に対応する重み付け数値に基づき演算するようにしてあることを特徴とする。
【００１５】
第４発明にあっては、場面毎に重み付け数値を受け付けて、場面毎にコンテンツ情報に係る点数を演算するので、場面毎に応じた選択リストを作成できるようになる。その結果、選択された場面に応じた選択リストに基づきコンテンツを読み出すことで、各場面毎にユーザの感性にマッチしたコンテンツを適宜読み出せるようになり、一段ときめ細やかなコンテンツ読出処理を実現できる。
【００１６】
第５発明に係るコンテンツ読出装置は、表示部と、該表示部にユーザ情報をアンケート形式で問うアンケート画面を表示する処理を行う表示処理手段と、該表示処理手段が表示したアンケート画面の内容に応じた回答の入力を受け付ける入力受付手段とを更に備え、前記ユーザ情報受付手段は、前記入力受付手段が受け付けた回答をユーザ情報として受け付けるようにしてあることを特徴とする。
【００１７】
第５発明にあっては、表示部にアンケート形式でユーザ情報を問う画面を表示するので、ユーザ情報の入力に係るユーザ負担を低減できるようになり、また、検索処理に対して適切に使用できる各種情報を誘導して入手できるようになる。
【００１８】
第６発明に係るコンテンツ読出装置は、前記ユーザ情報受付手段は、複数のユーザ毎にユーザ情報を受け付けるようにしており、複数のユーザの中から一つユーザの選択を受け付けるユーザ選択受付手段を備え、前記リスト作成手段は、前記ユーザ選択受付手段が選択を受け付けたユーザに応じたユーザ情報に基づき選択リストを作成すべくなしてあることを特徴とする。
【００１９】
第６発明にあっては、複数のユーザ毎にユーザ情報を受け付けて各ユーザ情報に応じた選択リストを作成するので、複数のユーザが装置を使用する場合でも、ユーザ毎の嗜好に個別対応したコンテンツの読出処理を実現できる。
【００２０】
第７発明に係る楽曲再生装置は、前記コンテンツは楽曲であり、前記コンテンツ読出装置と、該コンテンツ読出装置が読み出したコンテンツに基づき楽曲音を再生する再生手段と、該再生手段が再生した楽曲音を外部のスピーカが接続されるスピーカ接続部から出力する出力手段とを備えることを特徴とする。
【００２１】
第７発明にあっては、前記コンテンツ読出装置が読み出した楽曲の楽曲音を再生して出力するので、ユーザは自身の嗜好に応じた楽曲再生を特別な検索操作を行うことなく容易に楽しめる。
【発明の効果】
【００２２】
第１発明にあっては、コンテンツ情報及びユーザ情報を受け付けて、これら両方の情報に基づいて選択リストを作成し、この選択リストに基づきコンテンツの読出を行うので、ユーザの嗜好及びコンテンツの内容等を考慮し、選択内容が偏ることなくコンテンツを柔軟に読み出せる。
第２発明にあっては、ユーザ情報が含むユーザ項目情報に関連した項目情報を含むコンテンツ情報の検索を行い、この検索に合致したコンテンツ情報に応じたコンテンツを選択した選択リストを作成するので、ユーザの嗜好に応じたコンテンツを幅広く読み出せる。
【００２３】
第３発明にあっては、ユーザ項目情報に対する重み付け数値に基づき検索したコンテンツ情報に係る点数を演算するため、検索したコンテンツの読出順序を点数に基づき特定でき、ユーザの嗜好に応じた順序でコンテンツを読み出してユーザの満足度を向上できる。
第４発明にあっては、場面毎に重み付け数値を受け付けてコンテンツ情報に係る点数を演算するので、場面毎に応じた選択リストを作成でき、各場面でユーザの嗜好に合うコンテンツを適切に読み出せる。
【００２４】
第５発明にあっては、表示部にアンケート形式でユーザ情報を問う画面を表示するので、ユーザ情報の入力に係るユーザ負担を低減できると共に、問う項目を規定することで検索に適切な各種情報を確実に取得できる。
第６発明にあっては、複数のユーザ毎にユーザ情報を受け付けて各ユーザ情報に応じた選択リストを作成するので、複数のユーザが装置を使用する場合でも、ユーザ毎の嗜好に個別対応したコンテンツの読出を実現できる。
【００２５】
第７発明にあっては、前記コンテンツ読出装置が読み出した楽曲の楽曲音を再生して出力するので、ユーザは自身の嗜好に応じた楽曲再生を特別な検索操作を行うことなく容易に楽しむことができ、ユーザの満足度の高い製品提供に貢献できる。
【発明を実施するための最良の形態】
【００２６】
図１は、本発明の実施形態に係る車載用コンピュータ１の正面視図である。車載用コンピュータ１は、本発明に係るコンテンツ読出装置及び楽曲再生装置に相当し、記録している多量の楽曲（コンテンツに相当）の中からユーザから受け付けたユーザ情報に合致した楽曲を自動的に順次読み出して再生を行うものである。車載用コンピュータ１は、図中下方のボックス状の本体部２から表示画面３ａを有するディスプレイ部３を引き出して立ち上げた状態にできるようにしており、また、本体部２の前面２ａにはＤＶＤを受け入れるＤＶＤスロット部４、カード型の記録メディア及び通信カード等を装着できるカードスロット部５、各種外部機器を接続できる外部接続部６、及び多数のボタン・スイッチからなる操作部７を設けている。
【００２７】
図２は、車載用コンピュータ１の本発明に関連する部分を示す内部ブロック図である。車載用コンピュータ１は、ディスクドライブインタフェース部１１、カードインタフェース部１２、外部接続部６、ハードディスクインタフェース部１４、オーディオコントローラ部１５、ディスプレイインタフェース部１７、操作インタフェース部１８、ＲＡＭ１９、ＲＯＭ２０、及びＣＰＵ２１を内部バス２２で接続した構成にしている。なお、車載用コンピュータ１がコンテンツ読出装置として機能する範囲は、上述した各部の中で、オーディオコントローラ部１５及びアンプ部１６を除いた部分が相当し、車載用コンピュータ１が楽曲再生装置として機能する範囲は、オーディオコントローラ部１５及びアンプ部１６を上述したコンテンツ読出装置に係る部分に加えた範囲が相当する。
【００２８】
ディスクドライブインタフェース部１１は、ディスク駆動部、光ピックアップ部、及び上述したＤＶＤスロット部４等で構成されるディスクドライブ部１０と接続されており、ディスクドライブ部１０に装着された光ディスクｄに記録された画像及び楽曲等に係るデータを読み出す処理を行っている。なお、読み出されたデータは、ＣＰＵ１１の制御に基づき各部へ伝送される。例えば、ハードディスク装置１３に光ディスクｄに記録された楽曲をコピーする場合は、読み出された楽曲（楽曲データ）はハードディスク装置１３へ伝送され、光ディスクｄの楽曲が再生される場合は、読み出された楽曲はオーディオコントローラ部１５へ伝送される。
【００２９】
カードインタフェース部１２は、カードスロット部５と接続されており、カードスロット部５に装着されるカード型の半導体メモリ及び小型ハードディスク装置等の記録媒体ｍ又は無線通信を行う通信カードＴとの間でデータの受け渡しを行えるようにしている。
【００３０】
具体的には、カードスロット部５に記録媒体ｍを装着した場合、ＣＰＵ２１の制御に基づき記録媒体ｍに記録されているデータを読み出せると共に記録媒体ｍへデータを書き込むことができる。よって、記録媒体ｍに楽曲（楽曲データ）が記録されていると、読み出してハードディスク装置１３へコピーすることも可能になる。また、カードスロット部５に通信カードＴが装着された場合、ＣＰＵ２１の制御に基づき外部のネットワークと無線通信を行うことができ、ネットワークからデータ受信及びネットワークへのデータ送信が可能になる。なお、ネットワークから楽曲（楽曲データ）を通信によりダウンロードすれば、ダウンロードした楽曲をハードディスクへ記録することも可能になる。
【００３１】
外部接続部６は、本実施形態ではＵＳＢ（Universal Serial Bus）に準じた仕様になっており、ＵＳＢケーブル等を介して各種外部機器との接続を可能にしている。例えば、携帯型のパーソナルコンピュータＰと接続した場合は、パーソナルコンピュータＰからデータを取得できる。
【００３２】
また、ハードディスクインタフェース部１４は、内部バス２２を通じて伝送されてきた各種データをＣＰＵ２１の制御に基づきハードディスク装置１３へ書き込む処理を行うと共に、ハードディスク装置１３に記録された各種データを読み出す処理を行う。
【００３３】
ハードディスク装置１３は、車載用コンピュータ１に内蔵された記録媒体に相当し、本体部２の内部に配置されている。本実施形態のハードディスク装置１３は、後述する個人プロファイル３０、楽曲プロファイル４０、及びプレイリスト５０と云うデータを記録しており、それ以外には再生対象の多数の楽曲（楽曲データ）６０を記録していると共に図示していないが、ＣＰＵ２１の処理を規定したプログラム、再生処理に係る各種テーブル、及びディスプレイ部３への表示用となる画面、メニュー等に係るデータも多数記録している。表示用の画面のデータとしては、図３に示す個人プロファイル入力画面３１及び図４に示す楽曲プロファイル入力画面４１に係るデータ等があり、これら各入力画面３１、４１のデータは予めハードディスク装置１３に記録されている。また、ハードディスク装置１３が記録する楽曲６０は、上述した光ディスクｄ、記録媒体ｍ、及び外部のネットワークから取得されたものである。
【００３４】
オーディオコントローラ部１５はアンプ部１６と接続されており、内部バス２２から受け付けた楽曲の再生処理を行ってアンプ部１６へ楽曲音を伝送する処理を行う。また、オーディオコントローラ部１５は受け付けた楽曲が圧縮されている場合は、圧縮を伸張して元の状態に戻す処理を行うと共に、ＣＰＵ２１から圧縮を行うように指示された場合は、受け付けた楽曲を圧縮して所要の伝送先へ伝送する処理も行う。また、アンプ部１５は、車載用コンピュータ１に含まれないスピーカＳとスピーカ接続部（図示せず）を介して接続されており、オーディオコントローラ部１５から伝送されてくる楽曲音をスピーカ接続部より出力することにより、スピーカＳから出される楽曲音をユーザが聴けるようにしている。
【００３５】
ディスプレイインタフェース部１７は、ディスプレイ部３と接続されており、ＣＰＵ２１の制御によりハードディスク装置１３から読み出されて送られてきた画像、メニュー、及び入力画面等をディスプレイ部３の表示画面３ａに表示する処理を行う。本実施形態では、個人プロファイル３０としてユーザ情報の複数の項目に対してアンケート形式で回答を問う図３に示す個人プロファイル入力画面３１、及び図４に示す楽曲プロファイル入力画面４１等を表示するようにしている。
【００３６】
操作インタフェース部１８は、図１にも示した操作部７と接続されており、操作部７のスイッチ及びボタンが受け付けたユーザの操作による指示及び情報等をＣＰＵ２１及びＲＡＭ１９等へ伝送する処理を行う。本実施形態の操作部７が受け付けるユーザの指示としては、一般的な音響装置の再生、早送り、巻き戻し、停止等の指示に加えて、車載用コンピュータ１のモード切替指示等がある。本発明に関連するモードとしては、自動再生モード、個人プロファイル作成モード、及び楽曲プロファイル作成モードがある。また、車載用コンピュータ１が個人プロファイル作成モード及び楽曲プロファイル作成モードになっている場合は、操作部７で各プロファイルに応じた情報をユーザの操作により受け付けるようにしている。
【００３７】
ＲＡＭ１９は、ＣＰＵ２１及び上述した各部の処理に係るデータ等を一時的に記録するものであり、ＲＯＭ２０はＣＰＵ２１の基本的な処理内容を規定したプログラム等を記録している。
【００３８】
ＣＰＵ２１は、車載用コンピュータ１の全体的な制御を行っており、具体的には上述した各部１１、１２等が所要の処理を行えるように操作部７が受け付けた指示の内容に基づき各部１１、１２等に対し適宜制御を行っている。本発明で特徴的となる制御の処理内容には、楽曲をハードディスク装置１３に記録する制御、記録された楽曲毎に楽曲プロファイル４０を作成してハードディスク装置１３に記録する制御、個人プロファイル３０を作成してハードディスク装置１３に記録する制御、プレイリスト５０を作成してハードディスク装置１３に記録する制御、プレイリスト５０に基づき楽曲を読み出す制御等がある。
【００３９】
楽曲をハードディスク装置１３に記録する制御としては、ユーザの操作部７の操作により指示されたディスクドライブ部１０、カードスロット部５、又は外部接続部６のいずれかから楽曲を取得し、取得した楽曲をハードディスク装置１３に記録させる制御処理をＣＰＵ２１は行う。
【００４０】
また、図５に示す楽曲テーブル４２に示すように、ＣＰＵ２１は楽曲をハードディスク装置１３に記録する際、各楽曲１〜Ｎに夫々対応した楽曲プロファイル１〜Ｎもハードディスク装置１３に記録している。各楽曲プロファイルは楽曲情報（コンテンツ情報）に相当するものであり、「曲名」「アルバム名」「アーティスト名」「ジャンル」「発売年月日」の各項目に係る項目情報を有している。ＣＰＵ２１は、このような楽曲プロファイルを楽曲取得の際に同時に取得して、対応する楽曲に関連付けた楽曲テーブル４２を作成し、取得した楽曲プロファイル４０（図２参照）のデータはハードディスク装置１３を記録している。この楽曲テーブル４２により楽曲プロファイル１〜Ｎが特定されれば、それに対応する楽曲１〜Ｎも特定できるようになる。
【００４１】
なお、取得先から楽曲プロファイル４０を取得できなかった場合、ＣＰＵ２１は商用のデータベースから楽曲プロファイル４０を取得する旨を記載した画面のデータをハードディスク装置１３から読み出してディスプレイ部３に表示させる制御処理を行う。ユーザは、この画面を見ることで楽曲プロファイル４０を取得する操作を行い、このように取得された楽曲プロファイル４０も上記と同様に楽曲に対応付けられたハードディスク装置１３に記録される。
【００４２】
また、図４の楽曲プロファイル作成画面４１に示すように、本実施形態では規定の項目以外にユーザが個人的にその楽曲に感じている情報を自由に設定できる自由入力欄を設けている。自由入力欄としては、ユーザがその楽曲の好きな歌詞部分、その楽曲に対するイメージを問う項目が設けてあり、ユーザが操作部７を操作することでＣＰＵ２１は自由入力欄に対する項目情報を受け付けて、自由入力欄に係る情報も含む楽曲プロファイル４０をハードディスク装置１３に記録する制御処理を行う。なお、その楽曲に対するイメージの入力例としては、「青」「ピンク」等の色、「ビールのＣＭ」「ドラマの主題歌」「ドラマの挿入歌」「映画の主題歌」等のその楽曲の有名な使われ方、及び「海」「山」「青春」等のその楽曲から連想される単語等の情報が入力される。
【００４３】
このような自由入力欄の設定は、操作部７で楽曲プロファイル作成モードが選択された場合、作成したい楽曲プロファイル４０を選択する選択メニューがディスプレイ部３に表示され、その選択メニューの中からいずれかを選択すると、図４に示す楽曲プロファイル作成画面４１がディスプレイ部４に表示されるようにＣＰＵ２１が制御を行い、また、入力された情報は楽曲プロファイル４０の項目情報として受け付けて規定の情報に追加し、ハードディスク装置４１に記録する制御をＣＰＵ２１が行う。なお、楽曲プロファイル作成画面４１はアンケート方式で入力する項目の内容を問うため、ユーザは情報を設定しやすくなっている。
【００４４】
また、個人プロファイル３０の作成に関して、操作部７で個人プロファイル作成モードが選択された場合、又は自動再生モードが選択された場合で個人プロファイルがハードディスク装置１３に記録されていない場合、図３に示す個人プロファイル作成画面３１をディスプレイ部３に表示させる制御処理をＣＰＵ２１は行っている。本実施形態の個人プロファイル作成画面３１はアンケート画面として機能し、ユーザの誕生日、性別、趣味、好きな言葉、及び好きな場所の項目をアンケート形式で問う形態であり、ユーザが操作部７から情報を入力することで車載用コンピュータ１は各項目に対する回答をユーザ項目情報としてＣＰＵ２１は受け付けている。
【００４５】
さらに、個人プロファイル作成画面３１は、各項目毎に重み付け数値のポイントを受け付けられるようにしている。本発明では選曲の際、各項目に対する重視したい度合いを数値で入力することをユーザに要求しており、ユーザは所要の数値を操作部７から入力することで、車載用コンピュータ１は各項目のユーザ項目情報に対する重み付け数値を受け付けるようにＣＰＵ２１が処理を行う。
【００４６】
なお、重み付け数値として入力される数値はユーザの自由であり、例えば、ユーザが誕生日を一番重視し、２番目に趣味を重視し、３番目に好きな言葉を重視し、４番目に好きな場所を重視する場合は、誕生日に「２５」、趣味に「１５」、好きな言葉に「１０」、好きな場所に「５」と云う数値を入力することになる。また、重み付け数値が入力されない場合、ＣＰＵ２１は、その項目の重み付け数値は「１」にする。ＣＰＵ２１は、上述したように個人プロファイル作成画面３１で入力されたユーザ情報を個人プロファイル３０としてハードディスク装置１３に記録している。
【００４７】
また、ＣＰＵ２１は、図６に示すようなプレイリスト５０（選択リストに相当）を、個人プロファイル３０及び楽曲毎の楽曲プロファイル４０に基づき作成する処理を行う。具体的には、ユーザの操作部７の操作により自動再生モードが選択された場合でハードディスク装置１３にプレイリストが記録されていない場合、又はハードディスク装置１３に新たな楽曲を記録した場合に、ＣＰＵ２１はプレイリスト５０を作成する処理を開始する。
【００４８】
プレイリスト作成に関し、ＣＰＵ２１は個人プロファイル３０の各項目に対して入力された情報を用いて、その情報に関連した楽曲プロファイル４０の各項目情報が有るか無いかを検索する処理を行う。具体的に、ＣＰＵ２１は個人プロファイル３０の誕生日に対する情報から、ユーザの高校時代及び大学時代に相当する時代範囲を算出し、その算出した時代範囲に楽曲プロファイル４０の発売年月日の情報が含まれるか否かを検索する。また、個人プロファイル３０の性別に対する情報に対してＣＰＵ２１は、楽曲プロファイル４０の好きな歌詞部分及び曲に対するイメージの項目に係る情報に性別に係る内容が有るか無いかを検索する。
【００４９】
さらに、ＣＰＵ２１は個人プロファイル３０の趣味に係る情報に対して、楽曲プロファイル４０の好きな歌詞部分及び曲に対するイメージの項目に係る情報に関連した内容が有るか無いかを検索する。例えば、個人プロファイル３０の趣味に対して「映画鑑賞」が設定されていた場合で、楽曲プロファイル４０の曲に対するイメージとして「映画の主題歌」と云う情報が入力されていると、個人プロファイル３０の趣味に対する検索で「映画の主題歌」と云う情報を有する楽曲プロファイル４０をＣＰＵ２１は検索する。
【００５０】
また、ＣＰＵ２１は個人プロファイル３０の好きな言葉に係る情報に対して、楽曲プロファイル４０の曲名、アルバム名、アーティスト名、ジャンル、好きな歌詞部分、及び曲に対するイメージの項目に係る情報に関連した内容が有るか無いかを検索する。例えば、個人プロファイル３０の好きな言葉として「青春」と云う言葉が入力されていた場合で、楽曲プロファイル４０の上述した各項目の情報の中に「青春」と云う文字があれば、その楽曲プロファイル４０をＣＰＵ２１は検索する。さらに、ＣＰＵ２１は個人プロファイル３０の好きな場所に係る情報に対して、楽曲プロファイル４０の曲名、アルバム名、好きな歌詞部分、及び曲に対するイメージの項目に係る情報に関連した内容が有るか無いかを検索する。例えば、個人プロファイル３０の好きな場所として「海」と云う言葉が入力されていた場合で、楽曲プロファイル４０の上述した各項目の情報の中に「海」と云う文字があれば、その楽曲プロファイル４０をＣＰＵ２１は検索する。
【００５１】
さらにまた、ＣＰＵ２１は上述した検索に該当した複数の楽曲プロファイル４０に対して、個人プロファイル３０の各項目に対して設定されている重み付けの数値に基づきポイント（点数）を演算する処理を行う。例えば、楽曲３に対応する楽曲プロファイル３は、上記検索において、個人プロファイル３０の誕生日、趣味、好きな言葉、好きな言葉の項目に対する検索で該当したとする。また、個人プロファイルの誕生日に「２５」、趣味に「１５」、好きな言葉に「１０」、好きな場所に「５」と云う重み付けが設定されている場合、楽曲３は２５＋１５＋１０＋５＝５５ポイントと云うように、検索に該当した項目に対する重み付け数値の合計点数をＣＰＵ２１は演算する。
【００５２】
ＣＰＵ２１は、このような演算を検索に該当した全ての楽曲プロファイル４０に対して行うことにより楽曲プロファイル４０の各ポイントを求め、そのポイントの高い順序で各楽曲プロファイル４０に対応する楽曲を特定した図６のプレイリスト５０を作成し、作成したプレイリスト５０をハードディスク装置１３に記録する処理を行う。なお、ＣＰＵ２１は演算したポイントが同ポイントの場合はハードディスク装置１３の記録した順序に応じてプレイリスト５０の順序も特定しており、本実施形態では１番目から３０番目までの曲順のプレイリスト５０を作成している。なお、ＣＰＵ２１は、ハードディスク装置１３に新たな楽曲が記録する制御を行うと、作成したプレイリスト５０の内容を更新するため新たなプレイリスト５０を作成する処理を行う。
【００５３】
また、操作部７で自動再生モードが選択された場合、ＣＰＵ２１はハードディスク装置１３に記録されているプレイリスト５０に基づきハードディスク装置１３に記録されている楽曲を読み出す処理を行う。具体的にＣＰＵ２１は、プレイリスト５０で特定されている順序で楽曲を読み出し、読み出した楽曲をオーディオコントローラ部１５へ順次伝送する処理を行う。その後は、オーディオコントローラ部１５は伝送されてきた楽曲の楽曲音を再生してアンプ部１６を通してスピーカＳから出力するため、ユーザは自動再生モードを選択するだけで、自分のプロファイルに沿った楽曲を楽しめる。
【００５４】
次に、上述した構成の車載用コンピュータ１における個人プロファイル３０、楽曲プロファイル４０、及び自動再生に係る一連の処理手順を図７〜９の第１〜３フローチャートに基づき説明する。
【００５５】
図７の第１フローチャートは、個人プロファイル３０に関する車載用コンピュータ１の処理手順を示しており、車載用コンピュータ１は、先ずユーザの操作部７の操作により個人プロファイル作成モードが選択されたか否かを判断する（Ｓ１）。個人プロファイル作成モードが選択されていない場合（Ｓ１：ＮＯ）、個人プロファイル作成モードの選択待ちとなる。
【００５６】
また、個人プロファイル作成モードが選択された場合（Ｓ１：ＹＥＳ）、車載用コンピュータ１はディスプレイ部３の表示画面３ａに個人プロファイル作成画面３１（図３参照）を表示し、各項目に対してユーザから情報を受け付け（Ｓ２）、各項目の情報に対するポイント（重み付け数値）を受け付ける（Ｓ３）。次に、車載用コンピュータ１は、個人プロファイルの全項目に対して情報が受け付けられて個人プロファイル３０が完成したか否かを判断する（Ｓ４）。個人プロファイルが完成していない場合（Ｓ４：ＮＯ）、情報を受け付ける段階（Ｓ２）へ戻り、また、個人プロファイルが完成した場合（Ｓ４：ＹＥＳ）、完成した個人プロファイルをハードディスク装置１３へ記録する（Ｓ５）。このようにして車載用コンピュータ１は、個人プロファイルを取得している。
【００５７】
図８の第２フローチャートは、楽曲プロファイル４０に対する車載用コンピュータ１の処理手順を示している。なお、この処理は、ハードディスク装置１３に既に記録されている楽曲プロファイル４０の自由入力欄に対する項目の情報設定に関するものであり、基本的な処理の流れは上述した第１フローチャートと同様である。
【００５８】
先ず、車載用コンピュータ１は、楽曲プロファイル作成モードが選択されたか否かを判断し（Ｓ１０）。楽曲プロファイル作成モードが選択されていない場合（Ｓ１０：ＮＯ）、楽曲プロファイル作成モードの選択待ちとなる一方、楽曲プロファイル作成モードが選択された場合（Ｓ１０：ＹＥＳ）、楽曲プロファイル作成画面４１（図４参照）を表示し、自由入力欄の各項目に対してユーザから情報を受け付ける（Ｓ１１）。次に、車載用コンピュータ１は、楽曲プロファイル４０の自由入力欄の全項目に対して情報が受け付けらて楽曲プロファイルが完成したか否かを判断し（Ｓ１２）、楽曲プロファイル４０が完成していない場合（Ｓ１２：ＮＯ）、情報を受け付ける段階（Ｓ１１）へ戻り、楽曲プロファイル４０が完成した場合（Ｓ１２：ＹＥＳ）、完成した楽曲プロファイル４０をハードディスク装置１３へ記録する（Ｓ１３）。このような処理により、車載用コンピュータ１は、自由入力欄の項目に対して情報が設定された楽曲プロファイル４０を取得している。
【００５９】
図９の第３フローチャートは、自動再生に係る車載用コンピュータ１の処理手順を示しており、プレイリスト５０がハードディスク装置１３に記録されていない状態で初めて自動再生を行う場合の処理を示すものである。先ず、車載用コンピュータ１は、ユーザの操作部７に対する操作で自動再生モードが選択されたか否かを判断し（Ｓ２０）、自動再生モードが選択されていない場合（Ｓ２０：ＮＯ）、自動再生モードの選択待ちとなり、自動再生モードが選択された場合（Ｓ２０：ＹＥＳ）、次に個人プロファイル３０がハードディスク装置１３に記録されているか否かを判断する（Ｓ２１）。
【００６０】
個人プロファイルが記録されていない場合（Ｓ２１：ＮＯ）、車載用コンピュータ１は個人プロファイルの作成処理を行う（Ｓ２４）。なお、この個人プロファイルの作成処理では、図７に示す第１フローチャートの情報を受け付ける段階（Ｓ２）以降に相当する手順が行われて個人プロファイル３０が作成されてハードディスク装置１３に記録されることになる。また、個人プロファイル３０が記録されている場合（Ｓ２１：ＹＥＳ）、車載用コンピュータ１は、ハードディスク装置１３に記録されている楽曲プロファイル４０及び個人プロファイル３０に基づき図６に示すようなプレイリスト５０を作成し（Ｓ２２）、作成したプレイリスト５０に基づき楽曲の再生を行う（Ｓ２３）。
【００６１】
よって、車載用コンピュータ１は自動再生モードが選択されると、ハードディスク装置１３から選曲した楽曲を自動的に順次再生するため、ユーザは予め個人プロファイル３０及び楽曲プロファイル４０を入力設定しておくだけで、後は自分の嗜好に応じた様々な楽曲を楽しめる。特に、本発明では、従来のように楽曲の「ジャンル」「アーティスト名」で検索を行うのではなく、ユーザの情報及び各楽曲に対してユーザが抱いていること等を関連させた上、重み付け数値に基づく演算結果により再生順序を特定しているため、偏った選曲になることなく、ユーザの嗜好に合致した様々な楽曲を再生し、ユーザの思い出及び思い入れ等をかき立ててユーザを楽しませることができる。
【００６２】
なお、本発明は上述した形態に限定されるものではなく種々の変形例の適用が可能である。例えば、選択する対象は楽曲だけに限定されるものではなく、落語、俳句、映像等の各種コンテンツに対しても上記と同様な処理を行うことで、ユーザの嗜好に合致するコンテンツを読み出して再生できるようになる。また、本発明を適用できるハード対象は、図１の車載用コンピュータ１以外の装置にも適用可能であり、図２に示すような構成を車載用のナビゲーション装置、若しくは据え置き用、車載用、又は携帯用の音響装置に適用することでも本発明を構成できる。その際、コンテンツ読出装置及びコンテンツ読出装置に相当する部分は、一体で設けるようにしてもよく、又は分離して別々の装置に設けるようにしてもよい。
【００６３】
また、上述した車載用コンピュータ１ではハードディスク装置１３は内部に固定するタイプを用いたが、着脱型のハードディスク装置を用いるようにしてもよい。さらに、図２に示すディスクドライブ部１０はＤＶＤに対応しているが、ＣＤ、ＭＤ（ミニディスク）等の各種光ディスクに対応したディスクドライブ部を用いるようにしてもよい。さらにまた、作成した個人プロファイル３０、楽曲プロファイル４０、及びプレイリスト５０は図２に示すＲＯＭ２０、ＲＡＭ１９、カードスロット部５に装着される記録媒体ｍのいずれかに記録させてもよい。また、楽曲の再生及び楽曲の圧縮伸張処理はＣＰＵ２１で行うことも可能であり、ディスプレイ部３の表示画面３ａにはタッチパネル式のものを用いてユーザからの各種操作指示をディスプレイ部３で受け付ける形態も適用できる。
【００６４】
さらに、上述した実施形態では、個人プロファイル３０の作成及び楽曲プロファイル４０の自由入力欄の設定は、車載用コンピュータ１で行うようにしているが、外部のコンピュータで個人プロファイル３０の作成及び楽曲プロファイル４０の自由入力欄の設定を行い、このように作成した個人プロファイル３０及び楽曲プロファイル４０のデータをカードスロット部５又は外部接続部６を介して車載用コンピュータ１が取得するようにしてもよい。
【００６５】
また、図３に示す個人プロファイル作成画面３１の各項目及び図４に示す楽曲プロファイル作成画面４１の自由入力欄の項目は、あくまで一例であり他の項目を設けることも勿論可能である。特に、個人プロファイル作成画面３１の項目としては、楽曲（コンテンツ）に関連したユーザの嗜好に係る項目と、楽曲（コンテンツ）に関連しないユーザの嗜好に係る項目のいずれか、又は両方を設けるようにしてもよい。さらに、個人プロファイル作成画面３１の各項目に対する重み付けとしては、マイナスの数値を設定してもよく、このようにマイナスの数値を設定することで、ユーザの嗜好に合致しない楽曲を選曲されにくくすることもできる。
【００６６】
また、個人プロファイル作成画面３１の重み付け数値を入力する構成は省略することもでき、省略した場合は、プレイリスト５０は検索に該当した楽曲のみが規定され、この場合、読み出す順序はランダム又はハードディスク装置１３への記録順等で特定する。
【００６７】
さらに、本発明は車載用の装置に適用された場合、車両には複数のユーザが乗車することを考慮して、各ユーザ毎に個人プロファイルを作成すると共に、作成した個人プロファイル毎に対応するプレイリストを作成し、自動再生する場合はユーザを選択し、選択されたユーザの対応するプレイリストに基づき楽曲を選曲して再生することも可能である。
【００６８】
この変形例の場合、ハードディスク装置１３には、図１０（ａ）に示す各ユーザの個人プロファイルに対応したプレイリストを規定したユーザ対応テーブル７０及びを図１０（ｂ）に示すユーザ選択メニュー７１に係るデータを記憶させるようにし、ＣＰＵ２１の制御に基づきユーザ選択メニュー７１を表示画面３ａに表示させ、ユーザの操作部７の操作によりいずれかのユーザの選択を受け付けるようにする。また、ユーザが選択された場合で個人プロファイル作成モードが選択されると、ＣＰＵ２１は受け付けた情報に基づき選択されたユーザの個人プロファイルを作成する制御を行う。さらに、ＣＰＵ２１は、ユーザが選択された場合で自動再生モードが選択されると、選択されたユーザに対応するプレイリストをユーザ対応テーブル７０から特定し、特定されたプレイリストに基づき自動再生を行うように制御する。このようにすることで各ユーザに個別対応した楽曲読出及び再生を行える。
【００６９】
さらにまた、複数の場面（シーン）毎に重み付け数値を変更して、各シーン毎に応じた個人プロファイル及びプレイリストを作成して、各シーンに応じた楽曲の読出及び再生を行うことも可能である。
【００７０】
この変形例の場合、ハードディスク装置１３には、図１１（ａ）に示す各シーン用の個人プロファイルに対応したプレイリストを規定したシーン対応テーブル８０及びを図１１（ｂ）に示すシーン選択メニュー８１に係るデータを記憶させるようにし、ＣＰＵ２１の制御に基づきシーン選択メニュー８１を表示画面３ａに表示させ、ユーザの操作部７の操作によりいずれかのシーンの選択を受け付けるようにする。シーンが選択された場合で個人プロファイル作成モードが選択されると、ＣＰＵ２１は受け付けた重み付け数値及び情報に基づき選択されたシーン用の個人プロファイルを作成する制御を行る。また、ＣＰＵ２１は、シーンが選択された場合で自動再生モードが選択されると、選択されたシーンに対応するプレイリストをシーン対応テーブル８０から特定し、特定されたプレイリストに基づき自動再生を行うように制御する。このようにすることで、ユーザは様々なシーン毎に自身の嗜好に応じた楽曲の再生を楽しむことができ、一段とユーザの満足度を向上できる。なお、このシーン毎に対応した処理と上述したユーザ毎に対応した処理とは、両者を組み合わせて行うことも可能である。
【図面の簡単な説明】
【００７１】
【図１】本発明の実施形態に係る車載用コンピュータの正面視図である。
【図２】実施形態の車載用コンピュータの内部構成を示すブロック図である。
【図３】個人プロファイル作成画面を示す図である。
【図４】楽曲プロファイル作成画面を示す図である。
【図５】楽曲テーブルを示す図である。
【図６】プレイリストを示す図である。
【図７】個人プロファイルに係る処理手順を示す第１フローチャートである。
【図８】楽曲プロファイルに係る処理手順を示す第２フローチャートである。
【図９】自動再生に係る処理手順を示す第３フローチャートである。
【図１０】（ａ）はユーザ対応テーブルを示す図であり、（ｂ）はユーザ選択メニューを示す図である。
【図１１】（ａ）はシーン対応テーブルを示す図であり、（ｂ）はシーン選択メニューを示す図である。
【符号の説明】
【００７２】
１  車載用コンピュータ
２  本体部
３  ディスプレイ部
３ａ  表示画面
４  ＤＶＤスロット部
５  カードスロット部
６  外部接続部
１３  ハードディスク装置
１５  オーディオコントローラ部
２１  ＣＰＵ
３０  個人プロファイル
３１  個人プロファイル作成画面
４０  楽曲プロファイル
４１  楽曲プロファイル作成画面
５０  プレイリスト
６０  楽曲
７１  ユーザ選択メニュー
８１  シーン選択メニュー
ｄ  光ディスク
ｍ  記録媒体
Ｔ  通信カード
Ｐ  パーソナルコンピュータ
Ｓ  スピーカ
【図１】
2005285285.tif 000003
【図２】
2005285285.tif 000004
【図３】
2005285285.tif 000005
【図４】
2005285285.tif 000006
【図５】
2005285285.tif 000007
【図６】
2005285285.tif 000008
【図７】
2005285285.tif 000009
【図８】
2005285285.tif 000010
【図９】
2005285285.tif 000011
【図１０】
2005285285.tif 000012
【図１１】
2005285285.tif 000013